(57)【要約】【課題】部品点数の低減および組み付け性の向上を図ることができ低コスト化を実現する。【解決手段】アクチュエータに備わるモータへ給電するための給電用コネクタ１において、２つのコンデンサ用ターミナル１０，１０と、２つのコンデンサ用ターミナル１０，１０に通電するコンデンサ４と、２つのコンデンサ用ターミナル１０，１０とコンデンサ４とが組み付けられるハウジング２と、を備え、２つのコンデンサ用ターミナル１０，１０は、基部１１と、基部１１から突設された主接触部１２と、を含んで構成され、かつ、各コンデンサ用ターミナル１０，１０は、ハウジング２に組み付けられた状態で、コンデンサ４の中心を通る基準線Ｌ１を対称軸とする線対称形状である構成とした。【選択図】図２
2013157203.tif 000002
【特許請求の範囲】
【請求項１】
アクチュエータに備わるモータへ給電するための給電用コネクタにおいて、
２つのコンデンサ用ターミナルと、前記２つのコンデンサ用ターミナルに通電するコンデンサと、前記２つのコンデンサ用ターミナルと前記コンデンサとが組み付けられるハウジングと、を備え、
前記２つのコンデンサ用ターミナルは、基部と、前記基部から突設された主接触部と、を含んで構成され、かつ、前記各コンデンサ用ターミナルは、前記ハウジングに組み付けられた状態で、前記コンデンサの中心を通る基準線を対称軸とする線対称形状であることを特徴とする給電用コネクタ。
【請求項２】
前記モータに通電するためのモータ通電用ターミナルをさらに備え、
前記コンデンサ用ターミナルは、
前記基部を挟んで前記主接触部が突設される側と反対側において前記基部に突設され、前記モータ通電用ターミナルに接触する副接触部を有し、
前記副接触部は、前記２つのコンデンサ用ターミナルが前記ハウジングに組み付けられた状態で、前記基準線を対称軸とする線対称形状であることを特徴とする請求項１に記載の給電用コネクタ。
【請求項３】
前記主接触部は、前記基部の一端部から一体的に延設されていることを特徴とする請求項１または請求項２に記載の給電用コネクタ。
【請求項４】
前記副接触部は、前記基部の他端部から一体的に延設されていることを特徴とする請求項２に記載の給電用コネクタ。
【請求項５】
前記基準線が前記ハウジングに対する前記２つのコンデンサ用ターミナルの組付方向に直交しており、
一方の前記コンデンサ用ターミナルの前記主接触部と、他方の前記コンデンサ用ターミナルの前記主接触部とが、前記ハウジングに対する前記２つのコンデンサ用ターミナルの組付方向に間隔を空けて配置されており、前記両主接触部に前記コンデンサが挟持されることを特徴とする請求項１から請求項４のいずれか１項に記載の給電用コネクタ。
【請求項６】
前記基準線が前記ハウジングに対する前記２つのコンデンサ用ターミナルの組付方向に平行であり、
一方の前記コンデンサ用ターミナルの前記主接触部と、他方の前記コンデンサ用ターミナルの前記主接触部とが、前記ハウジングに対する前記２つのコンデンサ用ターミナルの組付方向と直交する方向に間隔を空けて配置されており、前記両主接触部に前記コンデンサが挟持されることを特徴とする請求項１から請求項４のいずれか１項に記載の給電用コネクタ。
【請求項７】
前記基準線が前記ハウジングに対する前記２つのコンデンサ用ターミナルの組付方向に平行であり、
前記主接触部が突設される側と同じ側において前記基部に突設され、前記コンデンサの側面に当接する補助接触部を備え、
前記補助接触部は、前記２つのコンデンサ用ターミナルが前記ハウジングに組み付けられた状態で、前記基準線を対称軸とする線対称形状であることを特徴とする請求項１に記載の給電用コネクタ。
【発明の詳細な説明】
【技術分野】
【０００１】
本発明は、アクチュエータに備わるモータへ給電するための給電用コネクタに関する。
【背景技術】
【０００２】
従来、例えば、自動車のアウターミラーには、その鏡面の角度を調整するためのアクチュエータが装備されており、アクチュエータには駆動源のモータが搭載されている。
アウターミラーやその周辺には、例えば、各種センサやカメラ等の電子機器が搭載されていることがある。このような場合、前記モータからのノイズにより、前記したセンサやカメラ等へ送られる各種信号に乱れが生じることがある。このようなノイズの除去対策として、モータへの電源供給用電線とグランド用電線との間にノイズフィルタとしてのコンデンサを設けることが行われている。
【０００３】
一般に、コンデンサを配線する場合には、電源供給用電線およびグランド用配線の被覆を中間剥離し、これらの二電線間にコンデンサを半田付けしていた。このため、半田付け部からコンデンサが脱落するおそれがあった。
また、剥離部分に絶縁テープを巻き付ける等、剥離部分を覆うための処理も必要になるため、作業工程が多く作業効率の低下を来していた。
【０００４】
他方、コンデンサを搭載する際に半田付け等の作業を要しない構造の給電用コネクタとしては、例えば、特許文献１に記載のものがある。
【先行技術文献】
【特許文献】
【０００５】
【特許文献１】特許第４１６０５７３号公報
【発明の概要】
【発明が解決しようとする課題】
【０００６】
しかしながら、特許文献１の給電用コネクタでは、コンデンサに接続されるターミナルが、左右で異なる形状とされていた。このため、部品点数が多くなり、組み付け性が低下してコストアップに繋がるという問題があった。
【０００７】
本発明は、前記の点に鑑みてなされたものであり、部品点数の低減および組み付け性の向上を図ることができ低コスト化を実現することができる給電用コネクタを提供することを目的とする。
【課題を解決するための手段】
【０００８】
このような課題を解決するために創案された本発明は、アクチュエータに備わるモータへ給電するための給電用コネクタにおいて、２つのコンデンサ用ターミナルと、前記２つのコンデンサ用ターミナルに通電するコンデンサと、前記２つのコンデンサ用ターミナルと前記コンデンサとが組み付けられるハウジングと、を備え、前記２つのコンデンサ用ターミナルは、基部と、前記基部から突設された主接触部と、を含んで構成され、かつ、前記各コンデンサ用ターミナルは、前記ハウジングに組み付けられた状態で、前記コンデンサの中心を通る基準線を対称軸とする線対称形状であることを特徴とする。
ここで、線対称形状とは、２つのコンデンサ用ターミナルの形状が、対称軸を中心にして一方のコンデンサ用ターミナルを１８０度回転させると、他方のコンデンサ用ターミナルに重なる関係にあることをいう。
【０００９】
本発明によれば、２種類のコンデンサ用ターミナルを共通部品とすることができ、部品点数の低減および組み付け性の向上を図ることができる。これにより、低コスト化を実現することができる。
【００１０】
また、本発明は、前記モータに通電するためのモータ通電用ターミナルをさらに備え、前記コンデンサ用ターミナルは、前記基部を挟んで前記主接触部が突設される側と反対側において前記基部に突設され、前記モータ通電用ターミナルに接触する副接触部を有し、前記副接触部は、前記２つのコンデンサ用ターミナルが前記ハウジングに組み付けられた状態で、前記基準線を対称軸とする線対称形状であることを特徴とする。
【００１１】
本発明によれば、コンデンサ用ターミナルとモータ通電用ターミナルとが直に接触することになるので、両者を繋ぐための配線等が不要になる。これにより、部品点数の低減および組み付け性の向上を図ることができ、より一層の低コスト化を実現することができる。
【００１２】
また、本発明は、前記主接触部が、前記基部の一端部から一体的に延設されていることを特徴とする。
【００１３】
本発明によれば、例えば、基部と主接触部とを別々に製造する場合に比べてコンデンサ用ターミナルを容易に製造することができるとともに、製造コストを低下させることができる。
また、主接触部が基部に一体的に設けられているので組み付け性に優れる。
【００１４】
また、本発明は、前記副接触部は、前記基部の他端部から一体的に延設されていることを特徴とする。
【００１５】
本発明によれば、例えば、基部と副接触部とを別々に製造する場合に比べてコンデンサ用ターミナルを容易に製造することができるとともに、製造コストを低下させることができる。
また、副接触部が基部に一体的に設けられているので組み付け性に優れる。
【００１６】
また、本発明は、前記基準線が前記ハウジングに対する前記２つのコンデンサ用ターミナルの組付方向に直交しており、一方の前記コンデンサ用ターミナルの前記主接触部と、他方の前記コンデンサ用ターミナルの前記主接触部とが、前記ハウジングに対する前記２つのコンデンサ用ターミナルの組付方向に間隔を空けて配置されており、前記両主接触部に前記コンデンサが挟持されることを特徴とする。
【００１７】
本発明によれば、例えば、ハウジングに対して一方のコンデンサ用ターミナルを組み付け、次にコンデンサを組み付け、さらに他方のコンデンサ用ターミナルを組み付けるというような一方向からの組み付け作業を行うだけで、両主接触部の間にコンデンサを簡単に挟持することができる。したがって、組み付け性に優れ、より一層の低コスト化を実現することができる。
【００１８】
また、本発明は、前記基準線が前記ハウジングに対する前記２つのコンデンサ用ターミナルの組付方向に平行であり、一方の前記コンデンサ用ターミナルの前記主接触部と、他方の前記コンデンサ用ターミナルの前記主接触部とが、前記ハウジングに対する前記２つのコンデンサ用ターミナルの組付方向と直交する方向に間隔を空けて配置されており、前記両主接触部に前記コンデンサが挟持されることを特徴とする。
【００１９】
本発明によれば、例えば、ハウジングに対して２つのコンデンサ用ターミナルを組み付け、次に２つのコンデンサ用ターミナルの主接触部間に位置するようにコンデンサを組み付けることで、２つのコンデンサ用ターミナルの主接触部間にコンデンサを挟持することができる。したがって、組み付け性に優れ、より一層の低コスト化を実現することができる。
【００２０】
また、本発明は、前記基準線が前記ハウジングに対する前記２つのコンデンサ用ターミナルの組付方向に平行であり、前記主接触部が突設される側と同じ側において前記基部に突設され、前記コンデンサの側面に当接する補助接触部を備え、前記補助接触部は、前記２つのコンデンサ用ターミナルが前記ハウジングに組み付けられた状態で、前記基準線を対称軸とする線対称形状であることを特徴とする。
【００２１】
本発明によれば、補助接触部を有する構成においても２種類のコンデンサ用ターミナルを共通部品とすることができ、部品点数の低減および組み付け性の向上を図ることができる。これにより、低コスト化を実現することができる。
また、補助接触部により、コンデンサがハウジングの所定位置から外れるのを阻止することができる。
【発明の効果】
【００２２】
本発明によれば、部品点数の低減および組み付け性の向上を図ることができ低コスト化を実現することができる給電用コネクタが得られる。
【図面の簡単な説明】
【００２３】
【図１】本発明の第１実施形態に係る給電用コネクタを示す斜視図である。
【図２】給電用コネクタの構成および給電用コネクタに接続されるモータを示す分解斜視図である。
【図３】（ａ）はハウジング示す平面図、（ａ）は同じく正面図である。
【図４】コンデンサ用ターミナルを示す図であり、（ａ）は斜視図、（ｂ）は正面図、（ｃ）は平面図、（ｄ）は左側面図、（ｅ）は右側面図、（ｆ）は背面図である。
【図５】モータ通電用ターミナルを示す拡大斜視図である。
【図６】コンデンサ用ターミナルとコンデンサとモータ通電用ターミナルとの接続状態を示す斜視図である。
【図７】給電用コネクタの正面図である。
【図８】図７におけるＡ−Ａ線端面図である。
【図９】本発明の第２実施形態に係る給電用コネクタの構成および給電用コネクタに接続されるモータを示す分解斜視図である。
【図１０】（ａ）はハウジング示す平面図、（ａ）は同じく正面図である。
【図１１】コンデンサ用ターミナルを示す図であり、（ａ）は斜視図、（ｂ）は正面図、（ｃ）は平面図、（ｄ）は左側面図、（ｅ）は右側面図、（ｆ）は底面図、（ｇ）は背面図である。
【図１２】給電用コネクタの正面図である。
【図１３】図１２におけるＢ−Ｂ線端面図である。
【図１４】コンデンサ用ターミナルとコンデンサとモータ通電用ターミナルとの接続状態を示す斜視図である。
【発明を実施するための形態】
【００２４】
以下、添付図面を参照して、本発明を自動車等の車体に取り付けられるアウターミラーの鏡面角度調整機構（アクチュエータ）のモータへの給電に適用した実施の形態について説明する。また、説明において、「前後、左右、上下」を言うときは、図１，図２に示した方向を基準とする。なお、「前後、左右、上下」は、車体に取り付けられるアウターミラーの「前後、左右、上下」に必ずしも一致するものではない。
【００２５】
（第１実施形態）
図１に示すように、給電用コネクタ（以下、「コネクタ」という）１は、ハウジング２内に挿入されて固定された略Ｌ字形のモータ通電用ターミナル３ａ〜３ｄを備えている。モータ通電用ターミナル３ａ〜３ｄは、ハウジング２の所定位置に並設されている。モータ通電用ターミナル３ａ〜３ｄの前端には、一点鎖線で示す電線３８がそれぞれ圧着され、図示しない電源供給側およびグランド側に接続されている。
【００２６】
本実施形態では、ハウジング２の両側端部に位置するモータ通電用ターミナル３ｂ，３ｃが電力供給側に接続され、中央側に位置するモータ通電用ターミナル３ａ，３ｄがグランド側に接続される。これらのモータ通電用ターミナル３ａ〜３ｄは、上下方向（組付方向に直交し、ハウジング２のベース部２１の上面に直交する方向）に向いた立上部３２（図５参照）が、ハウジング２の上方に配置される第１，第２モータＭ１、Ｍ２（図２参照）に、電気的に接続されるようになっている。第１，第２モータＭ１、Ｍ２は、図示しない鏡面角度調整機構に並列して設けられている。
【００２７】
ハウジング２内において、モータ通電用ターミナル３ａ，３ｂの間、およびモータ通電用ターミナル３ｃ，３ｄの間には、コンデンサ用ターミナル１０，１０を介してコンデンサ４が接続されている。このようにして、コンデンサ用ターミナル１０，１０、およびコンデンサ４を介して、モータ通電用ターミナル３ａ，３ｂ間が電気的に接続され、他方も同様にコンデンサ用ターミナル１０，１０、およびコンデンサ４を介して、モータ通電用ターミナル３ｃ，３ｄ間が電気的に接続されている。つまり、鏡面角度調整機構の第１，第２モータＭ１，Ｍ２から発生するノイズが、コンデンサ４で好適に除去されるようになっている。
【００２８】
本実施形態では、これらのモータ通電用ターミナル３ａ〜３ｄ、コンデンサ４、コンデンサ用ターミナル１０が、ハウジング２に設けられた左右のターミナル収容部２２，２２に収容されるようになっている。そして、これらのモータ通電用ターミナル３ａ〜３ｄ、コンデンサ４、コンデンサ用ターミナル１０は、後記するように、ターミナル収容部２２の前面側に形成された開口２２ａを通じて一方向に組み付けられるように構成されている。
【００２９】
なお、図示しない鏡面角度調整機構は、一側面に鏡面が設けられたホルダを備えている。鏡面角度調整機構は、例えば、前記した第１，第２モータＭ１によりホルダの上下軸周りの角度を調整し、また、前記したモータＭ２によりホルダの左右軸周りの角度を調整するように構成されている。なお、ホルダの他側面には、本実施形態のコネクタ１を固定するための接続部が設けられている。この接続部には、コネクタ１が装着保持される凹状を呈しており、モータ通電用ターミナル３ａ〜３ｄが挿入されて接続される接続部がそれぞれ設けられている。
【００３０】
以下、コネクタ１について詳細に説明する。
ハウジング２は、図３（ａ）に示すように、板状のベース部２１と、このベース部２１の上面に設けられた左右一対のターミナル収容部２２，２２と、を備えている。
ベース部２１の左右側端部および後端部には、縁部２３が立設されている。また、ベース部２１の左右中央部には、前後に２つのピン２４，２４が立設されている。ピン２４，２４は、前記した鏡面角度調整機構の接続部に設けられた図示しない穴部にそれぞれ挿入可能である。ピン２４，２４は、接続部に対するコネクタ１の位置決め部材として機能する。なお、鏡面角度調整機構の接続部には、ベース部２１の左右側部等に係止可能な図示しない係止フックが設けられており、この係止フックによってベース部２１が接続部に脱落不能に固定されるようになっている。
なお、ベース部２１の下面には、図３（ｂ）に示すように、電線３８を掛けるためのフック２５が形成されている。
【００３１】
ターミナル収容部２２，２２は、左右で同様の構造であるので、ここでは、モータ通電用ターミナル３ａ，３ｂ（図２参照）が配置される一方の（右側の）ターミナル収容部２２について説明する。
ターミナル収容部２２は、図３（ｂ）に示すように、前面側に開口２２ａが設けられたボックス状を呈しており、正面視略コ字形の収容部２２１と、この収容部２２１の面に対向配置された蓋部２２２と、を有している。
【００３２】
収容部２２１は、正面視略Ｌ字形状を呈する左壁部２２３および右壁部２２４と、左壁部２２３と右壁部２２４との間に形成された凹溝部２２５と、を有している。左壁部２２３と凹溝部２２５との間、および右壁部２２４と凹溝部２２５との間には、前後方向に延びる切込部２２ｂ，２２ｃが形成されている。切込部２２ｂ，２２ｃには、ターミナル収容部２２にコンデンサ用ターミナル１０を収容する際に、基部１１の下縁１１ｄが挿入される。
凹溝部２２５の上面には、前後方向に延びる角形の溝２２６が形成されている。
【００３３】
蓋部２２２は、ベース部２１の後端部の縁部２３に片持ち支持された状態で前面側へ延出しており、収容部２２１の上面開口に配置されている。蓋部２２２と左壁部２２３との間には隙間２２２ａが形成され、蓋部２２２と右壁部２２４との間には隙間２２２ｂが形成されている。隙間２２２ａ，２２２ｂには、モータ通電用ターミナル３ａ，３ｂの立上部３２，３２がそれぞれ挿通される。
【００３４】
蓋部２２２の下面には、凹溝部２２５の溝２２６に対向する角形の溝２２７が形成されている。これらの溝２２６，２２７により上下方向に間隔を隔てて囲われる空間部には、図７に示すように、コンデンサ４が保持されるようになっている。
なお、図２に示すように、コンデンサ４は直方体形状とされており、その長手方向が溝２２６，２２７の延長方向に沿った状態で前記空間に収容される。つまり、溝２２６，２２７は、コンデンサ４の短手方向の大きさに対応する間隔を空けて上下方向に対向している。
【００３５】
また、蓋部２２２の下面には、収容部２２１の切込部２２ｂ，２２ｃに対応する位置に、前後方向に延びる同様の切込部２２ｂ１，２２ｃ１が形成されている。切込部２２ｂ１，２２ｃ１には、コンデンサ用ターミナル１０の基部１１の上縁１１ｃが挿入される。
【００３６】
なお、蓋部２２２は、図３（ａ）に示すように、収容部２２１の前後方向の長さよりも短く形成されている。これにより、平面視において、収容部２２１の開口２２ａの前方に凹溝部２２５が露出するようになっている。
また、ターミナル収容部２２の内部には、開口２２ａを通じて挿入されたコンデンサ用ターミナル１０の後端位置を位置決めするための図示しない当接部が設けられている。
【００３７】
２つのコンデンサ用ターミナル１０，１０は、部品の状態では同形状であり、図８に示すように、ベース部２１の上面に垂直な直線であってコンデンサ４の中心Ｏを通る直線を囲むように配置されている。すなわち、２つのコンデンサ用ターミナル１０，１０は、ハウジング２に配置された状態で、コンデンサ４の中心Ｏを通る基準線Ｌ１（ベース部２１の上面に垂直な直線（基部１１に平行な直線）であって、コンデンサ４の中心Ｏを通る直線、図７参照）を対称軸とする線対称形状とされている。したがって、対称軸を中心にして一方のコンデンサ用ターミナル１０を（図８に示す平面図において）１８０度回転させると、他方のコンデンサ用ターミナル１０に重なる関係にある。
以下では、ハウジング２において、後側に配置されるコンデンサ用ターミナル１０を基にして説明する。
【００３８】
コンデンサ用ターミナル１０は、図４各図に示すように、板状の導電性部材を折り曲げ加工することにより一体的に形成されており、基部１１と、主接触部１２と、副接触部１３とを備えて構成されている。
基部１１は、図４（ｅ）に示すように、側面視で略正方形状とされている。基部１１の上縁１１ｃは、ターミナル収容部２２の蓋部２２２の切込部２２ｂ１，２２ｃ１に挿入可能である。また基部１１の下縁１１ｄは、ターミナル収容部２２の収容部２２１の切込部２２ｂ，２２ｃに挿入可能である。
なお、上縁１１ｃおよび下縁１１ｄには、抜け止め用の図示しない凹凸（例えば、くさび状の細かな凹凸）が形成されている。
【００３９】
主接触部１２は、基部１１の後端部１１ａ（一端部）の上下方向中央部から右側方へ向けて一体的に延設されている。主接触部１２は、平面視で略Ｓ字状を呈しており、その湾曲突部１２ａがコンデンサ４の側面に接触する。
主接触部１２は、ターミナル収容部２２の凹溝部２２５と蓋部２２２との間に挿通される大きさに形成されており、コンデンサ４の側面の大きさに対応して副接触部１３よりも高さ方向の寸法が小さく形成されている。
【００４０】
副接触部１３は、基部１１の前端部１１ｂ（他端部）の上下方向中央部から左側方（基部１１を挟んで主接触部１２が突出する側と反対側）へ向けて一体的に延設されている。副接触部１３は、平面視で略く字状を呈しており、その折曲部１３ａがモータ通電用ターミナル３ａ（３ｂ〜３ｄ）の延出部３１（図５参照）の側面３１ｃに接触する（図６参照）。副接触部１３は、ターミナル収容部２２の凹溝部２２５と蓋部２２２との間に挿通される大きさに形成されており、モータ通電用ターミナル３ａ（３ｂ〜３ｄ）の延出部３１の大きさに対応したものとなっている。
【００４１】
本実施形態では、このような副接触部１３もコンデンサ４の中心Ｏを通る図示しない前記基準線を対称軸とする線対称形状とされている。
【００４２】
図１，２に示すモータ通電用ターミナル３ａ〜３ｄは、同形状であるので、以下では、そのうちの一つであるモータ通電用ターミナル３ａについて説明する。
モータ通電用ターミナル３ａは、図５に示すように、側面視で略Ｌ字形に形成されており、前後方向に延びる延出部３１と、この延出部３１の後端部から上方へ立ち上げられた立上部３２とを備えている。
【００４３】
延出部３１の前端部には、電線３８を挟持する挟持部３３ａと、露出した導電部３８ａが圧着される圧着部３３ｂとが設けられている。
なお、モータ通電用ターミナル３ａ〜３ｄに電線３８を接続する方法は、圧着に限定されるものではなく、圧接、半田付け、プレス等、種々の電気的接続が可能な方法を適宜用いることができる。
延出部３１の後端部には、張出部３１ａが一体的に設けられている。張出部３１ａは、モータ通電用ターミナル３ａの脚部として機能し、ターミナル収容部２２内におけるモータ通電用ターミナル３ａの安定性を高める役割をなす。
【００４４】
張出部３１ａの近傍には、孔部３１ｂが形成されている。この孔部３１ｂには、ターミナル収容部２２内に設けられた図示しないフック部が係止可能であり、この係止によってモータ通電用ターミナル３ａがターミナル収容部２２内の所定位置に固定される。固定された状態で、モータ通電用ターミナル３ａがコンデンサ用ターミナル１０に接触する。
【００４５】
次に、ターミナル収容部２２に対するコンデンサ用ターミナル１０，１０、コンデンサ４、モータ通電用ターミナル３ａ，３ｂの組み付けについて説明する。
ここでは、ターミナル収容部２２に対して、左側のコンデンサ用ターミナル１０から組み付ける場合について説明する。はじめに、一方のコンデンサ用ターミナル１０の主接触部１２を開口２２ａ側（後側）に向けた状態で開口２２ａにコンデンサ用ターミナル１０を近付け、主接触部１２を凹溝部２２５と蓋部２２２との間に挿入する。そして、基部１１の上縁１１ｃおよび下縁１１ｄを切込部２２ｂ１，２２ｂに位置合わせしてそれぞれ挿入し、さらに、副接触部１３を凹溝部２２５と蓋部２２２との間に挿入する。
その後、コンデンサ用ターミナル１０を切込部２２ｂ１，２２ｂに沿わせて押し込み、ターミナル収容部２２内の図示しない当接部に当接する位置までコンデンサ用ターミナル１０を押し込む。
その後、コンデンサ４を溝２２６，２２７に沿ってターミナル収容部２２内に挿入する。
【００４６】
次に、他方のコンデンサ用ターミナル１０を組み付ける。この場合、副接触部１３が開口２２ａ側となるようにしてコンデンサ用ターミナル１０を開口２２ａに近付け、副接触部１３を凹溝部２２５と蓋部２２２との間に挿入する。そして、基部１１の上縁１１ｃおよび下縁１１ｄを切込部２２ｃ１，２２ｃに位置合わせしてそれぞれ挿入し、凹溝部２２５と蓋部２２２との間に主接触部１２を挿入する。
その後、コンデンサ用ターミナル１０を切込部２２ｃ１，２２ｃに沿わせて押し込み、先に組み付けたコンデンサ用ターミナル１０との間でコンデンサ４を挟み込む。これにより、前後のコンデンサ用ターミナル１０，１０の主接触部１２，１２に、コンデンサ４が挟持され、主接触部１２，１２とコンデンサ４とが電気的に接続される（図６参照）。
【００４７】
なお、コンデンサ用ターミナル１０の基部１１の上縁１１ｃおよび下縁１１ｄには、抜け止め用の図示しない凹凸が形成されているので、主接触部１２，１２に、コンデンサ４が挟持された状態が好適に維持される。
【００４８】
その後、モータ通電用ターミナル３ａ，３ｂの立上部３２，３２を開口２２ａから隙間２２２ａ，２２２ｂに挿入するようにして、モータ通電用ターミナル３ａ，３ｂをターミナル収容部２２に押し込む。そうすると、図示しないフック部の係止によりモータ通電用ターミナル３ａ，３ｂがターミナル収容部２２内に固定され、コンデンサ用ターミナル１０，１０の副接触部１３，１３とモータ通電用ターミナル３ａ，３ｂの延出部３１，３１とがそれぞれ電気的に接触した状態となる（図７，図８参照）。
【００４９】
以上説明した本実施形態のコネクタ１によれば、左右２種類のコンデンサ用ターミナル１０，１０を共通部品とすることができ、部品点数の低減および組み付け性の向上を図ることができる。これにより、低コスト化を実現することができる。
【００５０】
また、コンデンサ用ターミナル１０，１０とモータ通電用ターミナル３ａ〜３ｄとが直に接触することになるので、両者を繋ぐための配線等が不要になる。これにより、部品点数の低減および組み付け性の向上を図ることができ、より一層の低コスト化を実現することができる。
【００５１】
また、主接触部１２および副接触部１３が、基部１１の後端部１１ａや前端部１１ｂから一体的に延設されているので、例えば、基部１１と、主接触部１２や副接触部１３と、を別々に製造する場合に比べてコンデンサ用ターミナル１０を容易に製造することができるとともに、製造コストを低下させることができる。
また、主接触部１２や副接触部１３が基部１１に一体的に設けられているので組み付け性に優れる。
【００５２】
また、前記基準線がハウジング２に対する２つのコンデンサ用ターミナル１０，１０の組付方向に直交しており、一方のコンデンサ用ターミナル１０の主接触部１２と、他方のコンデンサ用ターミナル１０の主接触部１２とが、ハウジング２に対する２つのコンデンサ用ターミナル１０，１０の組付方向に間隔を空けて配置され、両主接触部１２，１２にコンデンサ４が挟持されるので、次のような作用効果を奏する。
すなわち、ハウジング２に対して一方のコンデンサ用ターミナル１０を組み付け、次にコンデンサ４を組み付け、さらに他方のコンデンサ用ターミナル１０を組み付けるというような一方向からの組み付け作業を行うだけで、両主接触部１２，１２の間にコンデンサ４を簡単に挟持することができる。したがって、組み付け性に優れ、より一層の低コスト化を実現することができる。
【００５３】
（第２実施形態）
図９〜図１４を参照して本発明の第２実施形態について説明する。参照する図面において、第１実施形態と共通する部分には共通の符号を付してその説明を省略する。
本実施形態が前記第１実施形態と異なるところは、図９，図１３に示すように、２つのコンデンサ用ターミナル４０，４０が、ハウジング２に配置された状態で、コンデンサ４の中心Ｏを通る基準線Ｌ２（ベース部２１の上面に平行な直線、図９，図１４参照）であって、コンデンサ４の中心Ｏを通る直線）を対称軸とする線対称形状とされている点にある。これにより、２つのコンデンサ用ターミナル４０，４０は、基準線Ｌ２に直交する左右方向に並設配置され、コンデンサ４が、左右方向から挟持されるようになっている。
【００５４】
本実施形態においてもターミナル収容部２２，２２は、左右で同様の構造であるので、モータ通電用ターミナル３ａ，３ｂ（図８参照）が配置される一方の（右側の）ターミナル収容部２２について説明する。
ターミナル収容部２２は、図１０（ｂ）に示すように、前面側に開口２２ａが設けられたボックス状を呈しており、正面視略コ字形の収容部２２１と、この収容部２２１の面に対向配置された蓋部２２２と、を有している。
【００５５】
収容部２２１の底部２２１ａには、前後方向に延びる突部２２８と、前後方向に延びるリブ２２９と、切込部２２ｂとが形成されている。突部２２８は、ターミナル収容部２２にコンデンサ用ターミナル４０を収容する際に、コンデンサ用ターミナル４０の挿入ガイドとして機能する。コンデンサ用ターミナル４０を収容する際には、突部２２８の内側面にコンデンサ用ターミナル４０の基部４１（図１１各図参照）を沿わせることができる。
リブ２２９は、ターミナル収容部２２にコンデンサ４を収容する際にコンデンサ４の挿入ガイドとして機能する。コンデンサ４を収容する際には、リブ２２９にコンデンサ４の長手方向の一端面（短面）を沿わせることができる。
切込部２２ｂには、ターミナル収容部２２にコンデンサ用ターミナル４０を収容する際に、コンデンサ用ターミナル４０の基部４１の下縁４１ｄ（図１１（ａ）参照）が挿入される。
なお、図１０（ａ）に示すように、底部２２１ａおよび蓋部２２２は、前後方向に同じ長さに形成されている。
【００５６】
蓋部２２２の下面には、収容部２２１の底部２２１ａと同様の突部２２８と、リブ２２９と、切込部２２ｃ１とが形成されている。蓋部２２２の突部２２８、リブ２２９および切込部２２ｃ１と、底部２２１ａの突部２２８、リブ２２９および切込部２２ｂとは、前記基準線Ｌ２（図９，図１４参照）を対称軸として相互に線対称位置に形成されている。
【００５７】
蓋部２２２の突部２２８の内側面には、ターミナル収容部２２にコンデンサ用ターミナル４０を収容する際に、コンデンサ用ターミナル４０の基部４１（図１１各図参照）を沿わせることができる。
蓋部２２２のリブ２２９には、ターミナル収容部２２にコンデンサ用ターミナル４０を収容する際に、コンデンサ４の長手方向の他端面（他方の短面）を沿わせることができる。
つまり、コンデンサ４は、収容部２２１の底部２２１ａのリブ２２９と、蓋部２２２のリブ２２９とにより、長手方向を前記基準線Ｌ２に直交する方向に向けて底部２２１ａと蓋部２２２との間に保持される。これにより、底部２２１ａ，蓋部２２２は、コンデンサ４の短手方向の大きさに対応する間隔を空けて上下方向に対向している。
【００５８】
切込部２２ｃ１には、ターミナル収容部２２にコンデンサ用ターミナル４０を収容する際に、コンデンサ用ターミナル４０の基部４１の下縁４１ｄ（図１１各図参照）が挿入される。
なお、ターミナル収容部２２の内部には、図１３に示すように、開口２２ａを通じて挿入されたコンデンサ用ターミナル４０，４０の後端位置を位置決めするための当接部２６，２６が設けられている。
【００５９】
２つのコンデンサ用ターミナル４０，４０は、部品の状態では同形状であり、図１４に示すように、ハウジング２（図１３参照）に配置された状態で、コンデンサ４の中心Ｏを通る基準線Ｌ２（ベース部２１の上面に平行な直線であって、コンデンサ４の中心Ｏを通る直線、図９参照）を対称軸とする線対称形状とされている。したがって、対称軸を中心にして一方のコンデンサ用ターミナル４０を（図１２に示す正面図において）１８０度回転させると、他方のコンデンサ用ターミナル４０に重なる関係にある。
以下では、ハウジング２において、左側に配置されるコンデンサ用ターミナル１０を基にして説明する。
【００６０】
コンデンサ用ターミナル４０は、図１１各図に示すように、板状の導電性部材を折り曲げ加工することにより一体的に形成されており、基部４１と、主接触部４２と、副接触部４３と、補助接触部４４と、を備えて構成されている。
【００６１】
基部４１は、図１１（ａ）に示すように、前後方向を長手方向として延出しており、その下縁４１ｄは、収容部２２１の底部２２１ａの切込部２２ｂ（図１２参照）、蓋部２２２の切込部２２ｃ１（図１２参照）に挿入可能である。
なお、下縁４１ｄには、抜け止め用の図示しない凹凸（例えば、くさび状の細かな凹凸）が形成されている。
【００６２】
主接触部４２は、基部４１の後端部４１ａ（一端部）から右側方へ向けて一体的に延設されている。主接触部４２は、平面視で略く字状を呈しており、その折曲部４２ａがコンデンサ４の側面に接触する。
【００６３】
副接触部１３は、基部４１の前端部４１ｂ（他端部）の上下方向中央部から左側方（基部４１を挟んで主接触部４２が突出する側と反対側）へ向けて一体的に延設されている。副接触部４３は、平面視で略く字状を呈しており、その折曲部４３ａがモータ通電用ターミナル３ａ（３ｂ〜３ｄ）の延出部３１（図１２参照）の側面３１ｃに接触する（図１４参照）。副接触部４３は、モータ通電用ターミナル３ａ（３ｂ〜３ｄ）の延出部３１の大きさに対応している。
【００６４】
補助接触部４４は、平面視で四角形状を呈しており、主接触部４２が突設される側と同じ側において基部４１に突設されている。補助接触部４４は、図１３，図１４に示すように、ターミナル収容部２２にコンデンサ用ターミナル４０が組み付けられた状態で、コンデンサ４の側面（長面（前面））に開口２２ａ側から当接する。
【００６５】
次に、ターミナル収容部２２に対するコンデンサ用ターミナル４０，４０、コンデンサ４、モータ通電用ターミナル３ａ，３ｂの組み付けについて説明する。
はじめに、ターミナル収容部２２の開口２２ａを通じて収容部２２１の底部２２１ａと蓋部２２２とのリブ２２９，２２９間に、コンデンサ４を挿入する。
【００６６】
その後、ターミナル収容部２２の開口２２ａを通じて一方の（左側の）コンデンサ用ターミナル４０を挿入する。この場合、コンデンサ用ターミナル４０の基部４１を蓋部２２２の突部２２８に内側から沿わせつつ、基部４１の下縁４１ｄを収容部２２１の底部２２１ａの切込部２２ｂに挿入してコンデンサ用ターミナル４０を押し込む。これにより、コンデンサ４の左短面にコンデンサ用ターミナル４０の主接触部４２が接触する。
【００６７】
その後、ターミナル収容部２２の開口２２ａを通じて他方の（右側の）コンデンサ用ターミナル４０を挿入する。この場合、コンデンサ用ターミナル４０の基部４１を収容部２２１の底部２２１ａの突部２２８に内側から沿わせつつ、基部４１の下縁４１ｄ（ここでは上側に位置している）を蓋部２２２の切込部２２ｃ１ｂに挿入してコンデンサ用ターミナル４０を押し込む。これにより、コンデンサ４の右短面にコンデンサ用ターミナル４０の主接触部４２が接触する。したがって、左右のコンデンサ用ターミナル４０，４０の主接触部４２，４２に、コンデンサ４が挟持され、主接触部４２，４２とコンデンサ４とが電気的に接続される（図１３参照）。
【００６８】
また、左右のコンデンサ用ターミナル４０，４０の補助接触部４４，４４がコンデンサ４の側面（長面（前面））に当接する。これにより、コンデンサ４の側面が補助接触部４４，４４により押さえられ、コンデンサ４がターミナル収容部２２の所定位置から外れる（開口２２ａから脱落する）ことが阻止される。
【００６９】
その後、モータ通電用ターミナル３ａ，３ｂの立上部３２，３２を開口２２ａから隙間２２２ａ，２２２ｂに挿入するようにして、モータ通電用ターミナル３ａ，３ｂをターミナル収容部２２に押し込む。そうすると、図示しないフック部の係止によりモータ通電用ターミナル３ａ，３ｂがターミナル収容部２２内に固定され、コンデンサ用ターミナル４０，４０の副接触部４３，４３とモータ通電用ターミナル３ａ，３ｂの延出部３１，３１とがそれぞれ電気的に接触した状態となる（図１２〜図１４参照）。
【００７０】
以上説明した本実施形態のコネクタ１によれば、第１実施形態で説明した作用効果に加えて、補助接触部４４を有する構成においても左右２種類のコンデンサ用ターミナル４０，４０を共通部品とすることができ、部品点数の低減および組み付け性の向上を図ることができる。これにより、低コスト化を実現することができる。
また、補助接触部４４により、コンデンサ４がハウジング２の所定位置から外れるのを阻止することができる。
【００７１】
前記実施形態では、コンデンサ用ターミナル１０，４０が板状の導電性部材を折り曲げ加工することにより一体的に形成されたものを示したが、これに限られることはなく、別体で形成されたものであってもよい。
また、基部１１，４１、主接触部１２，４２、副接触部１３，４３の形状は適宜設定することができる。
【００７２】
また、前記第２実施形態では、補助接触部４４を平面視で四角形状であるものを示したが、これに限られることはなく、コンデンサ４の側面（長面（前面））に開口２２ａ側から当接して、組付方向からコンデンサ４を押さえることのできるものであれば、種々の形状のものを用いることができる。
【００７３】
また、前記実施形態では、アウターミラーの鏡面角度調整機構の第１，第２モータＭ１，Ｍ２への給電に適用したものを示したが、本発明は、これに限られることはなく、例えば、自動車（車両）に搭載される他のアクチュエータや装置等に給電するものに対しても採用することができる。
【符号の説明】
【００７４】
１      コネクタ
２      ハウジング
３ａ〜３ｄ    モータ通電用ターミナル
４      コンデンサ
１０，４０    コンデンサ用ターミナル
１１，４１    基部
１２，４２    主接触部
１３，４３    副接触部
２２    ターミナル収容部
４４    補助接触部
Ｌ１，Ｌ２    基準線
Ｍ１    第１モータ
Ｍ２    第２モータ
Ｏ      コンデンサの中心
【図１】
2013157203.tif 000003
【図２】
2013157203.tif 000004
【図３】
2013157203.tif 000005
【図４】
2013157203.tif 000006
【図５】
2013157203.tif 000007
【図６】
2013157203.tif 000008
【図７】
2013157203.tif 000009
【図８】
2013157203.tif 000010
【図９】
2013157203.tif 000011
【図１０】
2013157203.tif 000012
【図１１】
2013157203.tif 000013
【図１２】
2013157203.tif 000014
【図１３】
2013157203.tif 000015
【図１４】
2013157203.tif 000016